(57)【特許請求の範囲】
【請求項１】
サブアドレスとそのサブアドレスにより確認できる状態種別を格納するサブアドレス記憶部（１５）と、サブアドレスとそのサブアドレスにより確認できる状態種別をサブアドレス記憶部（１５）に設定するサブアドレス設定部（１６）と、状態種別とその状態のデータを格納する状態記憶部（１３）と、サブアドレスにより通知される状態のデータを状態記憶部（１３）に設定する状態設定部（１４）と、ＩＳＤＮ網との通信処理を行い、ＩＳＤＮ網からの着信信号を受けて呼設定データを通信制御部に渡す、また通信制御部から指示を受けてＩＳＤＮ網に信号を出す発着信処理部（１１）と、サブアドレス付き発呼を着信したとき、サブアドレス記憶部（１５）と状態記憶部（１３）から呼設定データのサブアドレスに対応した確認状態のデータを読み出し、一定時間の呼出し音後に続くビジー音、一定時間を超える呼出し音およびビジー音、または呼出し音およびビジー音とによりデータの状態を発呼元に通知する通信制御部（１２）とで構成することを特徴とするＩＳＤＮ通信端末装置。
【請求項２】
請求項１記載のＩＳＤＮ通信端末装置において、
特定のサブアドレス以外のサブアドレス付き発呼を着信したとき、ビジー音により不当なサブアドレスによる発呼であることを発呼元に通知する手段を設けることを特徴とするＩＳＤＮ通信端末装置。
【請求項３】
請求項１または２記載のＩＳＤＮ通信端末装置において、
留守状態を示すデータを状態記憶部（１３）に設定する状態設定部（１４）を備えることを特徴とするＩＳＤＮ通信端末装置。
【請求項４】
請求項３記載のＩＳＤＮ通信端末装置において、
留守状態を示すデータをワンタッチで状態記憶部（１３）に設定する状態設定部（１４）を備えることを特徴とするＩＳＤＮ通信端末装置。
【請求項５】
請求項３または４記載のＩＳＤＮ通信端末装置において、
留守状態をオンまたはオフに設定するためのサブアドレス付き発呼を着信したとき、留守状態のオンまたはオフを状態記憶部に設定する手段を設けることを特徴とするＩＳＤＮ通信端末装置。
【請求項６】
請求項３、４または５記載のＩＳＤＮ通信端末装置において、
ブザーとブザーを鳴らす音声送出部を設け、留守状態の確認を行うためのサブアドレス付き発呼を着信したとき、状態記憶部に留守状態が設定されていれば、アナログ機器にリング音を出さず、ブザーを鳴らす手段を設けることを特徴とするＩＳＤＮ通信端末装置。
【請求項７】
請求項３、４、５または６記載のＩＳＤＮ通信端末装置において、
留守状態の確認を行うためのサブアドレス付き発呼を着信したとき、状態記憶部に留守状態が設定されていなければ、アナログ機器にリング音を出し、また状態記憶部に留守状態が設定されていれば、アナログ機器にリング音を出さない手段を備えることを特徴とするＩＳＤＮ通信端末装置。
【請求項８】
請求項１〜７のいずれか１項に記載のＩＳＤＮ通信端末装置において、
メール着信状態を示すデータを状態記憶部に設定する状態設定部（１４）を設け、メール着信状態の確認を行うためのサブアドレス付き発呼を着信したとき、メール着信状態を呼出元に通知後、メール着信状態をクリアする手段を備えることを特徴とするＩＳＤＮ通信端末装置。
【請求項９】
請求項１〜８のいずれか１項に記載のＩＳＤＮ通信端末装置において、
状態記憶部にＦＡＸ着信状態を示すデータを状態記憶部に設定する状態設定部（１４）を設け、ＦＡＸ着信状態の確認を行うためのサブアドレス付き発呼を着信したとき、ＦＡＸ着信状態を呼出元に通知後、ＦＡＸ着信状態をクリアする手段を備えることを特徴とするＩＳＤＮ通信端末装置。
【請求項１０】
請求項９記載のＩＳＤＮ通信端末装置において、
ＦＡＸ着信状態を設定する条件である呼設定データのアドレスを記憶する条件記憶部と、条件記憶部にＦＡＸ着信状態の設定条件となる呼設定データのアドレスを設定する条件設定部と、呼設定データのアドレスが条件記憶部に記憶されたアドレスと一致したとき、ＦＡＸ着信状態を示すデータを状態記憶部に設定する状態設定部（１４）とを備えることを特徴とするＩＳＤＮ通信端末装置。
【請求項１１】
請求項１〜１０のいずれか１項に記載のＩＳＤＮ通信端末装置において、
電話着信状態を示すデータを状態記憶部に設定する状態設定部（１４）を設け、電話着信状態の確認を行うためのサブアドレス付き発呼を着信したとき、電話着信状態を呼出元に通知後、電話着信状態をクリアする手段を備えることを特徴とするＩＳＤＮ通信端末装置。
【請求項１２】
請求項１１記載のＩＳＤＮ通信端末装置において、
電話着信状態を設定する条件である呼設定データのアドレスを記憶する条件記憶部と、条件記憶部に電話着信状態の設定条件となる呼設定データのアドレスを設定する条件設定部と、呼設定データのアドレスが条件記憶部に記憶されたアドレスと一致したとき、電話着信状態を示すデータを状態記憶部に設定する状態設定部（１４）とを設けることを特徴とするＩＳＤＮ通信端末装置。
【請求項１３】
請求項１〜１２のいずれか１項に記載のＩＳＤＮ通信端末装置において、
状態記憶部における特定の状態のデータをクリアするためのサブアドレス付き発呼を着信したとき、状態記憶部における特定の状態のデータをクリアする手段を備えることを特徴とするＩＳＤＮ通信端末装置。
【請求項１４】
請求項１〜１３のいずれか１項に記載のＩＳＤＮ通信端末装置において、
サブアドレス記憶部のデータを設定するためのサブアドレス付き発呼を着信したとき、サブアドレスとそのサブアドレスにより確認できる状態種別をサブアドレス記憶部に設定する手段を備えることを特徴とするＩＳＤＮ通信端末装置。
【請求項１５】
サブアドレスとそのサブアドレスにより確認できる状態種別を格納するサブアドレス記憶部と、サブアドレスとそのサブアドレスにより確認できる状態種別をサブアドレス記憶部に設定するサブアドレス設定部と、状態種別とその状態のデータを格納する状態記憶部と、サブアドレスにより通知される状態のデータを状態記憶部に設定する状態設定部とを備えるＩＳＤＮ通信端末装置の通信制御方法において、
アナログ機器からサブアドレス付き発呼を着信したとき、サブアドレス記憶部と状態記憶部から呼設定データのサブアドレスに対応した確認状態のデータを読み出し、一定時間の呼出し音後に続くビジー音、一定時間を超える呼出し音およびビジー音、または呼出し音およびビジー音とによりデータの状態を発呼元に通知することを特徴とする通信制御方法。
【請求項１６】
請求項１５記載の通信制御方法において、
特定のサブアドレス以外のサブアドレス付き発呼を着信したとき、ビジー音により不当なサブアドレスによる発呼であることを発呼元に通知することを特徴とする通信制御方法。
【請求項１７】
請求項１５または１６記載のＩＳＤＮ通信端末装置において、
留守状態をオンまたはオフに設定するためのサブアドレス付き発呼を着信したとき、留守状態のオンまたはオフを状態記憶部に設定することを特徴とする通信制御方法。
【請求項１８】
請求項１５、１６または１７記載の通信制御方法において、
ブザーとブザーを鳴らす音声送出部を設け、留守状態の確認を行うためのサブアドレス付き発呼が着信されたとき、装置記憶部に留守状態が設定されていれば、アナログ機器にリング音を出さず、ブザーを鳴らすことを特徴とする通信制御方法。
【請求項１９】
請求項１５、１６、１７または１８記載の通信制御方法において、
留守状態の確認を行うためのサブアドレス付き発呼を着信したとき、状態記憶部に留守状態が設定されていなければ、アナログ機器にリング音を出し、また状態記憶部に留守状態が設定されていれば、アナログ機器にリング音を出さないことを特徴とする通信制御方法。
【請求項２０】
請求項１５〜１９のいずれか１項に記載の通信制御方法において、
メール着信状態を示すデータを状態記憶部に設定する状態設定部を設け、メール着信状態の確認を行うためのサブアドレス付き発呼が着信されたとき、メール着信状態を呼出元に通知後、状態記憶部のメール着信状態をクリアすることを特徴とする通信制御方法。
【請求項２１】
請求項１５〜２０のいずれか１項に記載の通信制御方法において、
ＦＡＸを受信したとき、状態記憶部にＦＡＸ着信状態のオンを設定し、ＦＡＸ着信状態の確認を行うためのサブアドレス付き発呼が着信されたとき、ＦＡＸ着信状態を呼出元に通知後、ＦＡＸ着信状態をクリアすることを特徴とする通信制御方法。
【請求項２２】
請求項２１の通信制御方法において、
ＦＡＸ着信状態を設定する条件である呼設定データのアドレスを記憶する条件記憶部と、条件記憶部にＦＡＸ着信状態の設定条件となる呼設定データのアドレスを設定する条件設定部とを設け、ＦＡＸを受信したとき、その呼設定データのアドレスが条件記憶部に予め記憶されたアドレスと一致するならば、状態記憶部にＦＡＸ着信状態のオンを設定することを特徴とする通信制御方法。
【請求項２３】
請求項１５〜２２のいずれか１項に記載の通信制御方法において、
電話を受信したとき、状態記憶部に電話着信状態のオンを設定し、電話着信状態の確認を行うためのサブアドレス付き発呼が着信されたとき、電話着信状態を呼出元に通知後、電話着信状態をクリアすることを特徴とする通信制御方法。
【請求項２４】
請求項２３記載の通信制御方法において、
電話着信状態を設定する条件である呼設定データのアドレスを記憶する条件記憶部と、条件記憶部に電話着信状態の設定条件となる呼設定データのアドレスを設定する条件設定部とを設け、電話を受信したとき、その呼設定データのアドレスが条件記憶部に予め記憶されたアドレスと一致したならば、状態記憶部に電話着信状態のオンを設定することを特徴とする通信制御方法。
【請求項２５】
請求項１５〜２４のいずれか１項に記載の通信制御方法において、
状態記憶部における特定の状態のデータをクリアするためのサブアドレス付き発呼を着信したとき、状態記憶部における特定の状態のデータをクリアすることを特徴とする通信制御方法。
【請求項２６】
請求項１５〜２５のいずれか１項に記載の通信制御方法において、
サブアドレス記憶部のデータを設定するためのサブアドレス付き発呼を着信したとき、サブアドレスとそのサブアドレスにより確認できる状態種別をサブアドレス記憶部に設定することを特徴とする通信制御方法。
【発明の詳細な説明】
【０００１】
【発明の属する技術分野】
この発明はＩＳＤＮ（統合サービス・ディジタル網）通信端末装置および通信制御方法に関するものであり、特に、サブアドレス付き発呼ができるアナログ機器からＩＳＤＮ通信端末装置に特定のサブアドレス付き発呼を行うことで、ＩＳＤＮ通信端末装置が持つ留守状態、メール着信状態、ＦＡＸ着信状態、電話着信状態などの装置状態をアナログ機器に無課金で通知する。
【０００２】
【従来の技術】
従来は、発呼加入者が希望する被呼加入者の電話番号をダイヤルし、被呼加入者を収容する交換機に着信すると、交換機は被呼加入者に対して呼出信号を送出する。被呼加入者が離籍中あるいは、取込み中で応答できないとき、留守番電話機に不在中が設定されている場合、留守番電話機がその呼出しに自動応答して、課金を開始すると共に、被呼加入者が予め録音しておいた不在応答メッセージを再生して発呼加入者に対し送出した後、発呼加入者からのメッセージの録音を開始する。
【０００３】
また、発呼加入者は緊急連絡の場合、機械に向かって話したくない場合、録音されるのを好まない場合など、不在メッセージが再生されて被呼加入者が不在であることを知ると、オンフックして電話を切ってしまう場合が少なくない。このような場合でも、発呼加入者には通話料金が課金され、また不在応答メッセージを聞くまでは回線が捕捉されたままであるため、回線の使用効率が低下させられている。
【０００４】
【発明が解決しようとする課題】
このように、従来技術の留守番機能は課金状態で相手の留守がわかるため、発呼者が緊急連絡のために呼出し相手と直接話をしたい場合、機械に向いて話したくない場合、または録音されるのが好きでない場合には、無駄な課金がされるという問題点があった。
【０００５】
また、外国からの電話では無駄に高い課金がされてしまうという問題点もあった。また、このような無駄な通信のために、正常な通信を妨害してしまうという問題点があった。
【０００６】
【課題を解決するための手段】
この発明は上記のような問題点を考慮してなされたもので、ＩＳＤＮ通信端末装置および通信制御方法において、サブアドレス付き発呼ができるアナログ機器からＩＳＤＮ通信端末装置に特定のサブアドレス付き発呼を行うことで、ＩＳＤＮ通信端末装置が持つ留守状態、メール着信状態、ＦＡＸ着信状態、電話着信状態などの装置状態を呼出し音やビジー音により通知する手段を設ける。これにより、アナログ機器から遠く離れたＩＳＤＮ通信端末装置の装置状態を無課金で確認することができる。
【０００７】
【発明の実施の形態】
（１）サブアドレスとそのサブアドレスにより確認できる状態種別を格納するサブアドレス記憶部と、サブアドレスとそのサブアドレスにより確認できる状態種別をサブアドレス記憶部に設定するサブアドレス設定部と、状態種別とその状態のデータを格納する状態記憶部と、サブアドレスにより通知される状態のデータを状態記憶部に設定する状態設定部と、ＩＳＤＮ網との通信処理を行い、ＩＳＤＮ網からの着信信号を受けて呼設定データを通信制御部に渡す、また通信制御部から指示を受けてＩＳＤＮ網に信号を出す発着信処理部と、サブアドレス付き発呼を着信したとき、サブアドレス記憶部と状態記憶部から呼設定データのサブアドレスに対応した確認状態のデータを読み出し、一定時間の呼出し音後に続くビジー音、一定時間を超える呼出し音およびビジー音、または呼出し音およびビジー音とによりデータの状態を発呼元に通知する通信制御部とでＩＳＤＮ通信端末装置を構成することにより、サブアドレス付き発呼ができるアナログ機器により遠く離れたＩＳＤＮ通信端末装置が持つ、特定の状態を無課金で確認することができる。
【０００８】
（２）（１）記載のＩＳＤＮ通信端末装置において、特定のサブアドレス以外のサブアドレス付き発呼を着信したとき、ビジー音により不当なサブアドレスによる発呼であることを発呼元に通知する手段を設けることにより、不当なサブアドレスによる発呼であることを確認でき、目的とする状態の確認を誤りなく行うことができる。
【０００９】
（３）（１）または（２）記載のＩＳＤＮ通信端末装置において、留守状態を示すデータを状態記憶部に設定する状態設定部を備えることにより、サブアドレス付き発呼ができるアナログ機器により、遠く離れたＩＳＤＮ通信端末装置が持つ留守状態を無課金で確認することができる。
【００１０】
（４）（３）記載のＩＳＤＮ通信端末装置において、留守状態を示すデータをワンタッチで状態記憶部に設定する状態設定部を備えることにより、留守状態を容易に設定することができる。
【００１１】
（５）（３）または（４）記載のＩＳＤＮ通信端末装置において、留守状態をオンまたはオフに設定するためのサブアドレス付き発呼を着信したとき、留守状態のオンまたはオフを状態記憶部に設定する手段を備えることにより、サブアドレス付き発呼ができるアナログ機器により、遠く離れたＩＳＤＮ通信端末装置が持つ留守状態を容易に設定することができる。
【００１２】
（６）（３）、（４）または（５）記載のＩＳＤＮ通信端末装置において、ブザーとブザーを鳴らす音声送出部を設け、留守状態の確認を行うためのサブアドレス付き発呼を着信したとき、状態記憶部に留守状態が設定されていれば、アナログ機器にリング音を出さず、ブザーを鳴らす手段を備えることにより、ＩＳＤＮ通信端末装置に留守設定した後、その解除を忘れてしまった場合や、誤って留守設定してしまった場合、設定者に留守設定の誤りを通知することができ、留守設定を解除することができる。また、設定者がブサーにより電話機を取ることで通話することもできる。
【００１３】
（７）（３）、（４）、（５）または（６）記載のＩＳＤＮ通信端末装置において、留守状態の確認を行うためのサブアドレス付き発呼を着信したとき、状態記憶部に留守状態が設定されていなければ、アナログ機器にリング音を出し、また状態記憶部に留守状態が設定されていれば、アナログ機器にリング音を出さない手段を備えることにより、留守状態が設定されていないとき、アナログ機器が電話の場合にリング音が出て、呼出し先は電話をとることができ、呼出し元は再ダイヤルせずとも、呼出し先の相手と通信することができる。また、留守状態が設定されているとき、リング音を出さないので、アナログ機器が留守番電話の場合でも課金されることがない。
【００１４】
（８）（１）〜（７）のいずれか１つに記載のＩＳＤＮ通信端末装置において、メール着信状態を示すデータを状態記憶部に設定する状態設定部を設け、メール着信状態の確認を行うためのサブアドレス付き発呼を着信したとき、メール着信状態を呼出元に通知後、メール着信状態をクリアする手段を備えることにより、サブアドレス付き発呼ができるアナログ機器により、遠く離れたＩＳＤＮ通信端末装置が持つメール着信状態を無課金で確認することができる。
【００１５】
（９）（１）〜（８）のいずれか１つに記載のＩＳＤＮ通信端末装置において、ＦＡＸ着信状態を示すデータを状態記憶部に設定する状態設定部を設け、ＦＡＸ着信状態の確認を行うためのサブアドレス付き発呼を着信したとき、ＦＡＸ着信状態を呼出元に通知後、ＦＡＸ着信状態をクリアする手段を備えることにより、サブアドレス付き発呼ができるアナログ機器により、遠く離れたＩＳＤＮ通信端末装置が持つＦＡＸ着信状態を無課金で確認することができる。
【００１６】
（１０）（９）記載のＩＳＤＮ通信端末装置において、ＦＡＸ着信状態を設定する条件である呼設定データのアドレスを記憶する条件記憶部と、条件記憶部にＦＡＸ着信状態の設定条件となる呼設定データのアドレスを設定する条件設定部と、呼設定データのアドレスが条件記憶部に記憶されたアドレスと一致したとき、ＦＡＸ着信状態を示すデータを状態記憶部に設定する状態設定部とを備えることにより、サブアドレス付き発呼ができるアナログ機器により、遠く離れたＩＳＤＮ通信端末装置が持つ特定ＦＡＸ番号のＦＡＸ着信状態を無課金で確認することができる。
【００１７】
（１１）（１）〜（１０）のいずれか１つに記載のＩＳＤＮ通信端末装置において、電話着信状態を示すデータを状態記憶部に設定する状態設定部を設け、電話着信状態の確認を行うためのサブアドレス付き発呼を着信したとき、電話着信状態を呼出元に通知後、電話着信状態をクリアする手段を備えることにより、サブアドレス付き発呼ができるアナログ機器により、遠く離れたＩＳＤＮ通信端末装置が持つ電話着信状態を無課金で確認することができる。
【００１８】
（１２）（１１）記載のＩＳＤＮ通信端末装置において、電話着信状態を設定する条件である呼設定データのアドレスを記憶する条件記憶部と、条件記憶部に電話着信状態の設定条件となる呼設定データのアドレスを設定する条件設定部と、呼設定データのアドレスが条件記憶部に記憶されたアドレスと一致したとき、電話着信状態を示すデータを状態記憶部に設定する状態設定部とを備えることにより、サブアドレス付き発呼ができるアナログ機器により、遠く離れたＩＳＤＮ通信端末装置が持つ特定の電話番号の電話着信状態を無課金で確認することができる。
【００１９】
（１３）（１）〜（１２）のいずれか１つに記載のＩＳＤＮ通信端末装置において、状態記憶部における特定の状態のデータをクリアするためのサブアドレス付き発呼を着信したとき、状態記憶部における特定の状態のデータをクリアする手段を備えることにより、サブアドレス付き発呼ができるアナログ機器により、遠く離れたＩＳＤＮ通信端末装置が持つ特定の状態のデータをクリアすることができる。
【００２０】
（１４）（１）〜（１３）のいずれか１つに記載のＩＳＤＮ通信端末装置において、サブアドレス記憶部のデータを設定するためのサブアドレス付き発呼を着信したとき、サブアドレスとそのサブアドレスにより確認できる状態種別をサブアドレス記憶部に設定する手段を備えることにより、サブアドレス付き発呼ができるアナログ機器により、遠く離れたＩＳＤＮ通信端末装置が持つ特定の状態を確認するためのサブアドレスを設定することができる。
【００２１】
（１５）サブアドレスとそのサブアドレスにより確認できる状態種別を格納するサブアドレス記憶部と、サブアドレスとそのサブアドレスにより確認できる状態種別をサブアドレス記憶部に設定するサブアドレス設定部と、状態種別とその状態のデータを格納する状態記憶部と、サブアドレスにより通知される状態のデータを状態記憶部に設定する状態設定部とを備えるＩＳＤＮ通信端末装置の通信制御方法において、アナログ機器からサブアドレス付き発呼を着信したとき、サブアドレス記憶部と状態記憶部から呼設定データのサブアドレスに対応した確認状態のデータを読み出し、一定時間の呼出し音後に続くビジー音、一定時間を超える呼出し音およびビジー音、または呼出し音およびビジー音とによりデータの状態を発呼元に通知することにより、サブアドレス付き発呼ができるアナログ機器により遠く離れたＩＳＤＮ通信端末装置が持つ、特定の状態を無課金で確認することができる。
【００２２】
（１６）（１５）記載の通信制御方法において、特定のサブアドレス以外のサブアドレス付き発呼を着信したとき、ビジー音により不当なサブアドレスによる発呼であることを発呼元に通知することにより、不当なサブアドレスによる発呼であることを確認でき、目的とする状態の確認を誤りなく行うことができる。
【００２３】
（１７）（１５）または（１６）記載の通信制御方法において、留守状態をオンまたはオフに設定するためのサブアドレス付き発呼を着信したとき、留守状態のオンまたはオフを状態記憶部に設定することにより、遠く離れたＩＳＤＮ通信端末装置が持つ留守状態を容易に設定することができる。
【００２４】
（１８）（１５）、（１６）または（１７）記載の通信制御方法において、ブザーとブザーを鳴らす音声送出部を設け、留守状態の確認を行うためのサブアドレス付き発呼が着信されたとき、装置記憶部に留守状態が設定されていれば、アナログ機器にリング音を出さず、ブザーを鳴らすことにより、ＩＳＤＮ通信端末装置に留守設定した後、その解除を忘れてしまった場合や、誤って留守設定してしまった場合、設定者に留守設定の誤りを通知することができ、留守設定を解除することができる。また、設定者がブサーにより電話機を取ることで通話することもできる。
【００２５】
（１９）（１５）、（１６）、（１７）または（１８）記載の通信制御方法において、留守状態の確認を行うためのサブアドレス付き発呼を着信したとき、状態記憶部に留守状態が設定されていなければ、アナログ機器にリング音を出し、また状態記憶部に留守状態が設定されていれば、アナログ機器にリング音を出さないことにより、留守状態が設定されていないとき、アナログ機器が電話の場合にリング音が出て、呼出し先は電話をとることができ、呼出し元は再ダイヤルせずとも、呼出し先の相手と通信することができる。また、留守状態が設定されているとき、リング音を出さないので、アナログ機器が留守番電話の場合でも課金されることがない。
【００２６】
（２０）（１５）〜（１９）のいずれか１つに記載の通信制御方法において、メール着信状態を示すデータを状態記憶部に設定する状態設定部を設け、メール着信状態の確認を行うためのサブアドレス付き発呼が着信されたとき、メール着信状態を呼出元に通知後、状態記憶部のメール着信状態をクリアすることにより、サブアドレス付き発呼ができるアナログ機器により、遠く離れたＩＳＤＮ通信端末装置が持つメール着信状態を無課金で確認することができる。
【００２７】
（２１）（１５）〜（２０）のいずれか１つに記載の通信制御方法において、ＦＡＸを受信したとき、状態記憶部にＦＡＸ着信状態のオンを設定し、ＦＡＸ着信状態の確認を行うためのサブアドレス付き発呼が着信されたとき、ＦＡＸ着信状態を呼出元に通知後、ＦＡＸ着信状態をクリアすることにより、サブアドレス付き発呼ができるアナログ機器により、遠く離れたＩＳＤＮ通信端末装置が持つＦＡＸ着信状態を無課金で確認することができる。
【００２８】
（２２）（２１）の通信制御方法において、ＦＡＸ着信状態を設定する条件である呼設定データのアドレスを記憶する条件記憶部と、条件記憶部にＦＡＸ着信状態の設定条件となる呼設定データのアドレスを設定する条件設定部とを設け、ＦＡＸを受信したとき、その呼設定データのアドレスが条件記憶部に予め記憶されたアドレスと一致するならば、状態記憶部にＦＡＸ着信状態のオンを設定することにより、サブアドレス付き発呼ができるアナログ機器により、遠く離れたＩＳＤＮ通信端末装置が持つ特定ＦＡＸ番号のＦＡＸ着信状態を無課金で確認することができる。
【００２９】
（２３）（１５）〜（２２）のいずれか１つに記載の通信制御方法において、電話を受信したとき、状態記憶部に電話着信状態のオンを設定し、電話着信状態の確認を行うためのサブアドレス付き発呼が着信されたとき、電話着信状態を呼出元に通知後、電話着信状態をクリアすることにより、サブアドレス付き発呼ができるアナログ機器により、遠く離れたＩＳＤＮ通信端末装置が持つ電話着信状態を無課金で確認することができる。
【００３０】
（２４）（２３）記載の通信制御方法において、電話着信状態を設定する条件である呼設定データのアドレスを記憶する条件記憶部と、条件記憶部に電話着信状態の設定条件となる呼設定データのアドレスを設定する条件設定部とを設け、電話を受信したとき、その呼設定データのアドレスが条件記憶部に予め記憶されたアドレスと一致するならば、状態記憶部に電話着信状態のオンを設定することにより、サブアドレス付き発呼ができるアナログ機器により、遠く離れたＩＳＤＮ通信端末装置が持つ特定の電話番号の電話着信状態を無課金で確認することができる。
【００３１】
（２５）（１５）〜（２４）のいずれか１つに記載の通信制御方法において、状態記憶部における特定の状態のデータをクリアするためのサブアドレス付き発呼を着信したとき、状態記憶部における特定の状態のデータをクリアすることにより、サブアドレス付き発呼ができるアナログ機器により、遠く離れたＩＳＤＮ通信端末装置が持つ特定の状態のデータをクリアすることができる。
【００３２】
（２６）（１５）〜（２５）のいずれか１つに記載の通信制御方法において、サブアドレス記憶部のデータを設定するためのサブアドレス付き発呼を着信したとき、サブアドレスとそのサブアドレスにより確認できる状態種別をサブアドレス記憶部に設定することにより、サブアドレス付き発呼ができるアナログ機器により、遠く離れたＩＳＤＮ通信端末装置が持つ特定の状態を確認するためのサブアドレスを設定することができる。
【００３３】
【実施例】
図１に、本発明のＩＳＤＮ通信端末装置の基本構成ブロック図を示す。図中、１はＩＳＤＮ通信端末装置、２はＩＳＤＮ通信端末装置１が接続されるＩＳＤＮ網、３はＩＳＤＮ網２が含まれる公衆網、４は公衆網３に接続され、サブアドレス付き発呼ができるアナログ機器、５はＩＳＤＮ通信端末装置１に接続される電話機、６はＩＳＤＮ通信端末装置１に接続されるＦＡＸである。
【００３４】
また、ＩＳＤＮ通信端末装置１は、サブアドレスとそのサブアドレスにより確認できる状態種別を格納するサブアドレス記憶部１５と、サブアドレスとそのサブアドレスにより確認できる状態種別をサブアドレス記憶部１５に設定するサブアドレス設定部１６と、状態種別とその状態のデータを格納する状態記憶部１３と、サブアドレスにより通知される状態のデータを状態記憶部１３に設定する状態設定部１４と、ＩＳＤＮ網２との通信処理を行い、ＩＳＤＮ網からの着信信号を受けて呼設定データを通信制御部１２に渡す、また通信制御部１２から指示を受けてＩＳＤＮ網に信号を出す発着信処理部１１と、サブアドレス付き発呼を着信したとき、サブアドレス記憶部１５と状態記憶部１３から呼設定データのサブアドレスに対応した確認状態のデータを読み出し、一定時間の呼出し音後に続くビジー音、一定時間を超える呼出し音およびビジー音、または呼出し音およびビジー音とによりデータの状態を発呼元に通知する通信制御部１２とが設けられている。
【００３５】
図２に、本発明のＩＳＤＮ通信端末装置の一実施例の構成ブロック図を示す。図中、１〜６、１１〜１６は図１の１〜６、１１〜１６と同じである。
【００３６】
また、ＩＳＤＮ通信端末装置１には、ＦＡＸ着信状態および電話着信状態を設定する条件である呼設定データのアドレスを記憶する条件記憶部１７と、条件記憶部にＦＡＸ着信状態、電話着信状態の設定条件となる呼設定データのアドレスを設定する条件設定部２０と、ブサー１９と、ブザー１９にブザー音を出したり、電話機５やＦＡＸ６にリング音を出したりする音声送出部１８が設けられている。
【００３７】
また、状態設定部１４には、状態記憶部１３に留守状態を設定する留守設定部１４１と、状態記憶部１３にメール着信状態を設定するメール着信設定部１４２と、ＦＡＸ着信時の呼設定データのアドレスが条件記憶部１７に記憶されたＦＡＸ着信設定条件アドレスと一致したとき、状態記憶部１３にＦＡＸ着信状態を設定するＦＡＸ着信設定部１４３と、電話着信時の呼設定データのアドレスが条件記憶部１７に記憶された電話着信設定条件アドレスと一致したとき、状態記憶部１３に電話着信状態を設定する電話着信設定部１４４とが設けられている。
【００３８】
図３に、状態記憶部とサブアドレス記憶部の一実施例の構成図を示す。状態記憶部１３は、状態種別とデータで構成され、この例では留守状態、メール着信状態、ＦＡＸ着信状態、電話着信状態の４種類の状態を記憶できるように構成されている。
【００３９】
また、サブアドレス記憶部１５は、留守状態、メール着信状態、ＦＡＸ着信状態、電話着信状態の４種類の状態を確認するための確認用サブアドレス、その状態をクリアするためのクリア用サブアドレス、その状態をセットするためのセット用サブアドレス、確認、クリア、セット用サブアドレスを変更するための変更用サブアドレスを記憶できるように構成されている。
【００４０】
図４、図５を参照して、ＩＳＤＮ通信端末装置の動作を説明する。図４は本発明のＩＳＤＮ通信端末装置の一実施例の動作フローチャート（１）、図５はアダログ機器の呼設定データの構成図である。
【００４１】
図５の呼設定データ５１は、着呼側のＤＴＥアドレスを示す着信アドレス、発呼側のＤＴＥアドレスを示す発信アドレス、着呼側のサブアドレスを示す着信サブアドレス、発呼側のサブアドレスを示す発信サブアドレスで構成されている。
【００４２】
図４のフローは、ＩＳＤＮ通信端末装置およびアナログ機器の動作をわかりやすく説明するために、ＩＳＤＮ通信端末装置は留守状態のみをアナログ機器に通知することができるものとしている。
【００４３】
まず、図４のフローにおいて、ＩＳＤＮ通信端末装置に留守状態が設定されている場合の動作について、説明する。
【００４４】
ステップＳ４０１：サブアドレス付き発呼ができるアナログ機器がＩＳＤＮ通信端末装置に対して、留守状態を確認するためのサブアドレス付き発呼を行う。
【００４５】
ステップＳ４１１：ＩＳＤＮ通信端末装置の発着信処理部はＩＳＤＮ網からの着信を受けて、通信制御部に呼設定データを渡す。
【００４６】
ステップＳ４１２：通信制御部は発着信処理部から渡された呼設定データのサブアドレスが留守状態の確認かを判定する。留守状態の確認であるのでステップＳ４１４に進む。
【００４７】
ステップＳ４１４：通信制御部は正常着信の応答を、発着信処理部を介してアナログ機器に行う。これにより、アナログ機器に正常着信の応答が通知される。
【００４８】
ステップＳ４０２：アナログ機器では留守状態の確認のためのサブアドレス付き発呼に対する応答が正常着信かを判定する。正常着信なのでステップＳ４０４に進む。
【００４９】
ステップＳ４０４：アナログ機器はスピーカに呼出し音を出す。これにより。アナログ機器のスピーカには呼出し音が鳴り続くことになる。
【００５０】
ステップＳ４１５：一方、ＩＳＤＮ通信端末装置の通信制御部は、留守状態の設定がされているかを判定する。留守状態の設定がされているので、ステップＳ４１６に進む。
【００５１】
ステップＳ４１６：通信制御部は音声出力部を介してブサーを鳴らす。
【００５２】
ステップＳ４１７：通信制御部は一定時間の処理待ちを行う。
【００５３】
ステップＳ４１８：通信制御部は発着信処理部を介して回線切断処理を行う。そして、処理を終了する。
【００５４】
ステップＳ４０５：アナログ機器は網から通知を監視し、回線切断があったと判定し、ステップＳ４０６に進む。
【００５５】
ステップＳ４０６：アナログ機器はスピーカにビジー音を出す。そして、処理を終了する。
【００５６】
このように処理されることにより、ＩＳＤＮ通信端末装置に留守状態が設定されている場合、アナログ機器には一定の呼出し音の後に、ビジー音が出ることで確認することができる。
【００５７】
次に、図４のフローにおいて、ＩＳＤＮ通信端末装置に留守状態が設定されていない場合の動作について説明する。
【００５８】
ステップＳ４０１：サブアドレス付き発呼ができるアナログ機器がＩＳＤＮ通信端末装置に対して、留守状態を確認するためのサブアドレス付き発呼を行う。
【００５９】
ステップＳ４１１：ＩＳＤＮ通信端末装置の発着信処理部はＩＳＤＮ網からの着信を受けて、通信制御部に呼設定データを渡す。
【００６０】
ステップＳ４１２：通信制御部は発着信処理部から渡された呼設定データのサブアドレスが留守状態の確認かを判定する。留守状態の確認であるのでステップＳ４１４に進む。
【００６１】
ステップＳ４１４：通信制御部は正常着信の応答を、発着信処理部を介してアナログ機器に行う。これにより、アナログ機器に正常着信の応答が通知される。
【００６２】
ステップＳ４０２：アナログ機器では留守状態の確認のためのサブアドレス付き発呼に対する応答が正常着信かを判定する。正常着信なのでステップＳ４０４に進む。
【００６３】
ステップＳ４０４：アナログ機器はスピーカに呼出し音を出す。これにより。アナログ機器のスピーカには呼出し音が鳴り続くことになる。
【００６４】
ステップＳ４１５：一方、ＩＳＤＮ通信端末装置の通信制御部は、留守状態の設定がされているかを判定する。留守状態の設定がされていないので、ステップＳ４１９に進む。
【００６５】
ステップＳ４１９：通信制御部は音声出力部を介して電話機にリング音を出す。この処理により、呼出し相手は電話を取ることができ、留守状態の確認のサブアドレス付き発呼で、そのまま通話することが可能となる。そして、処理を終了する。
【００６６】
ステップＳ４０５：また、アナログ機器は網から通知を監視し、なにも通知がないと判定し、処理を終了する。
【００６７】
このように処理されることにより、ＩＳＤＮ通信端末装置に留守状態が設定されていない場合、アナログ機器には一定時間を超える呼出し音が出ることで確認することができる。また、ステップＳ４１９の処理において、呼出し相手はリング音により電話を取ることができ、電話を取れば留守状態の確認のサブアドレス付き発呼で、そのまま通話することが可能となる。
【００６８】
次に、図４のフローにおいて、アナログ機器から発呼される留守状態を確認するためのサブアドレスが誤っている場合の動作について説明する。
【００６９】
ステップＳ４０１：サブアドレス付き発呼ができるアナログ機器がＩＳＤＮ通信端末装置に対して、留守状態を確認するためのサブアドレスとは違うサブアドレス付き発呼を行う。
【００７０】
ステップＳ４１１：ＩＳＤＮ通信端末装置の発着信処理部はＩＳＤＮ網からの着信を受けて、通信制御部に呼設定データを渡す。
【００７１】
ステップＳ４１２：通信制御部は発着信処理部から渡された呼設定データのサブアドレスが留守状態の確認かを判定する。留守状態の確認でないのでステップＳ４１３に進む。
【００７２】
ステップＳ４１３：通信制御部は回線切断を、発着信処理部を介してアナログ機器に行う。これにより、アナログ機器に回線切断が通知される。そして、処理を終了する。
【００７３】
ステップＳ４０２：アナログ機器では留守状態の確認のためのサブアドレス付き発呼（誤ったサブアドレスの発呼）に対する応答が正常着信かを判定する。正常着信でない（回線切断）のでステップＳ４０３に進む。
【００７４】
ステップＳ４０３：アナログ機器のスピーカにビジー音を出す。そして、処理を終了する。
【００７５】
このように処理されることにより、アナログ機器がＩＳＤＮ通信端末装置に対して行ったサブアドレス付き発呼のサブアドレスが留守状態を確認するものでない場合、アナログ機器にはビジー音が出ることで確認することができる。
【００７６】
図６を参照して、別のＩＳＤＮ通信端末装置の動作を説明する。図６は本発明のＩＳＤＮ通信端末装置の一実施例の動作フローチャート（２）である。
【００７７】
図６のフローは、ＩＳＤＮ通信端末装置およびアナログ機器の動作をわかりやすく説明するために、ＩＳＤＮ通信端末装置は留守状態のみをアナログ機器に通知することができるものとしている。
【００７８】
まず、図６のフローにおいて、ＩＳＤＮ通信端末装置に留守状態が設定されている場合の動作について説明する。
【００７９】
ステップＳ６０１：サブアドレス付き発呼ができるアナログ機器がＩＳＤＮ通信端末装置に対して、留守状態を確認するためのサブアドレス付き発呼を行う。
【００８０】
ステップＳ６１１：ＩＳＤＮ通信端末装置の発着信処理部はＩＳＤＮ網からの着信を受けて、通信制御部に呼設定データを渡す。
【００８１】
ステップＳ６１２：通信制御部は発着信処理部から渡された呼設定データのサブアドレスが留守状態の確認かを判定する。留守状態の確認であるのでステップＳ６１３に進む。
【００８２】
ステップＳ６１３：通信制御部は留守状態の設定がされているかを判定する。留守状態の設定がされているので、ステップＳ６１４に進む。
【００８３】
ステップＳ６１４：通信制御部は音声出力部を介してブサーを鳴らす。
【００８４】
ステップＳ６１５：通信制御部は正常着信の応答を、発着信処理部を介してアナログ機器に行う。これにより、アナログ機器に正常着信の応答が通知される。
【００８５】
ステップＳ６０２：アナログ機器では留守状態の確認のためのサブアドレス付き発呼に対する応答が正常着信かを判定する。正常着信なのでステップＳ６０４に進む。
【００８６】
ステップＳ６０４：アナログ機器はスピーカに呼出し音を出す。これにより、アナログ機器のスピーカには呼出し音が鳴り続くことになる。そして、処理を終了する。
【００８７】
このように処理されることにより、ＩＳＤＮ通信端末装置に留守状態が設定されている場合、アナログ機器には呼出し音が出ることで確認することができる。
【００８８】
次に、図６のフローにおいて、ＩＳＤＮ通信端末装置に留守状態が設定されていない場合の動作について、説明する。
【００８９】
ステップＳ６０１：サブアドレス付き発呼ができるアナログ機器がＩＳＤＮ通信端末装置に対して、留守状態を確認するためのサブアドレス付き発呼を行う。
【００９０】
ステップＳ６１１：ＩＳＤＮ通信端末装置の発着信処理部はＩＳＤＮ網からの着信を受けて、通信制御部に呼設定データを渡す。
【００９１】
ステップＳ６１２：通信制御部は発着信処理部から渡された呼設定データのサブアドレスが留守状態の確認かを判定する。留守状態の確認であるのでステップＳ６１３に進む。
【００９２】
ステップＳ６１３：通信制御部は留守状態の設定がされているかを判定する。留守状態の設定がされていないので、ステップＳ６１６に進む。
【００９３】
ステップＳ６１６：通信制御部は回線切断を、発着信処理部を介してアナログ機器に行う。これにより、アナログ機器に回線切断が通知される。
【００９４】
ステップＳ６０２：アナログ機器では留守状態の確認のためのサブアドレス付き発呼に対する応答が正常着信かを判定する。正常着信でない（回線切断）のでステップＳ６０３に進む。
【００９５】
ステップＳ６０３：アナログ機器はスピーカにビジー音を出す。これにより、アナログ機器のスピーカにはビジー音が鳴り続くことになる。そして、処理を終了する。
【００９６】
このように処理されることにより、ＩＳＤＮ通信端末装置に留守状態が設定されていない場合、アナログ機器にはビジー音が出ることで確認することができる。
【００９７】
図７〜図１２を参照して、ＩＳＤＮ通信端末装置のＦＡＸ着信状態、電話着信状態およびメール着信状態の確認と、ＦＡＸ着信状態、電話着信状態、メール着信状態および留守状態の状態クリアと、ＦＡＸ着信状態、電話着信状態、メール着信状態および留守状態の設定などの動作について説明する。
【００９８】
図７は本発明のＩＳＤＮ通信端末装置の一実施例の動作フローチャート（３）、図８は状態確認の一実施例の処理フローチャート、図９は状態クリアの一実施例の処理フローチャート、図１０は留守状態セットとサブアドレス変更の処理フローチャート、図１１はメール着信状態セットの一実施例の処理フローチャート、図１２は条件記憶部の一実施例の構成図である。
【００９９】
図１２の条件記憶部１７はＦＡＸ着信設定条件および電話着信設定条件の呼設定データのアドレスとで構成されている。この条件記憶部に格納されているアドレスと一致するＦＡＸ着信または電話着信があったとき、状態記憶部にＦＡＸ着信状態または電話着信状態が設定される。なお、条件記憶部のＦＡＸ着信設定条件および電話着信設定条件は１つ以上のアドレスを設定してもよい。
【０１００】
図７のフローに、したがってＩＳＤＮ通信端末装置の動作を説明する。
【０１０１】
ステップＳ７０１：ＩＳＤＮ通信端末装置の発着信処理部はＩＳＤＮ網からの着信を受けて、通信制御部に呼設定データを渡す。
【０１０２】
ステップＳ７０２：通信制御部は呼設定データにサブアドレスが付いているかを判定する。サブアドレスが付いていればステップＳ７０３に進み、サブアドレスが付いていなければステップＳ７０７に進む。
【０１０３】
ステップＳ７０３：通信制御部は呼設定データのサブアドレスがサブアドレス記憶部に格納されているものと一致するかを判定する。一致するならばステップＳ７０４に進み、一致しないならばステップＳ７０６に進む。
【０１０４】
ステップＳ７０４：通信制御部は正常着信の応答を、発着信処理部を介してアナログ機器に行う。これにより、アナログ機器に正常着信の応答が通知される。
【０１０５】
ステップＳ７０５：通信制御部はサブアドレス記憶部を参照し、呼設定データのサブアドレスに対応する各確認および設定処理を行う。この処理の詳細は図８〜図１０のフローを参照し、後で説明する。そして、処理を終了する。
【０１０６】
ステップＳ７０６：通信制御部は回線切断を、発着信処理部を介してアナログ機器に行う。これにより、アナログ機器に回線切断が通知される。そして、処理を終了する。
【０１０７】
ステップＳ７０７：通信制御部は正常着信の応答を、発着信処理部を介してアナログ機器に行う。これにより、アナログ機器に正常着信の応答が通知される。
【０１０８】
ステップＳ７０８：通信制御部はアナログ機器からの着信がＦＡＸ着信かを判定する。ＦＡＸ着信ならばステップＳ７０９に進み、ＦＡＸ着信でない（電話着信）ならばステップＳ７１２に進む。
【０１０９】
ステップＳ７０９：通信制御部は呼設定データのアドレスが条件記憶部のＦＡＸ着信設定条件のアドレスと一致するかを判定する。一致するならばステップＳ７１０に進み、一致しないならばステップＳ７１１に進む。
【０１１０】
ステップＳ７１０：通信制御部は状態記憶部のＦＡＸ着信状態データを１に設定する。
【０１１１】
ステップＳ７１１：通信制御部はＦＡＸに接続して、通信を行う。そして、処理を終了する。
【０１１２】
ステップＳ７１２：通信制御部は呼設定データのアドレスが条件記憶部の電話着信設定条件のアドレスと一致するかを判定する。一致するならばステップＳ７１３に進み、一致しないならばステップＳ７１４に進む。
【０１１３】
ステップＳ７１３：通信制御部は状態記憶部の電話着信状態データを１に設定する。
【０１１４】
ステップＳ７１４：通信制御部は電話に接続して、通信を行う。そして、処理を終了する。
【０１１５】
次に、図７のステップＳ７０５における状態確認処理の詳細を説明する。図８のＦＡＸ着信状態確認フローにしたがって説明する。
【０１１６】
ステップＳ８０１：通信制御部は状態記憶部のＦＡＸ着信状態データが１かを判定する。１ならばステップＳ８０２に進み、１でないならば処理を終了する。
【０１１７】
ステップＳ８０２：通信制御部は状態記憶部のＦＡＸ着信状態データを０に設定する。
【０１１８】
ステップＳ８０３：通信制御部は一定時間の処理待ちを行う。
【０１１９】
ステップＳ８０４：通信制御部は発着信処理部を介して回線切断処理を行う。そして、処理を終了する。
【０１２０】
次に、図８の電話着信状態確認フローにしたがって説明する。
【０１２１】
ステップＳ８１１：通信制御部は状態記憶部の電話着信状態データが１かを判定する。１ならばステップＳ８１２に進み、１でないならば処理を終了する。
【０１２２】
ステップＳ８１２：通信制御部は状態記憶部の電話着信状態データを０に設定する。
【０１２３】
ステップＳ８１３：通信制御部は一定時間の処理待ちを行う。
【０１２４】
ステップＳ８１４：通信制御部は発着信処理部を介して回線切断処理を行う。そして、処理を終了する。
【０１２５】
次に、図８のメール着信状態確認フローにしたがって説明する。
【０１２６】
ステップＳ８２１：通信制御部は状態記憶部のメール着信状態データが１かを判定する。１ならばステップＳ８２２に進み、１でないならば処理を終了する。
【０１２７】
ステップＳ８２２：通信制御部は状態記憶部のメール着信状態データを０に設定する。
【０１２８】
ステップＳ８２３：通信制御部は一定時間の処理待ちを行う。
【０１２９】
ステップＳ８２４：通信制御部は発着信処理部を介して回線切断処理を行う。そして、処理を終了する。
【０１３０】
このように処理することにより、それぞれ状態が１ならばアナログ機器には一定時間の呼出し音の後にビジー音が通知され、それぞれ状態が０ならばアナログ機器には一定時間を超える呼出し音が通知されることでＩＳＤＮ通信端末装置が持つ状態を確認することができる。
【０１３１】
次に、図９のＦＡＸ着信状態クリアフローにしたがって説明する。
【０１３２】
ステップＳ９０１：通信制御部は状態記憶部のＦＡＸ着信状態データが１かを判定する。１ならばステップＳ９０２に進み、１でないならば処理を終了する。
【０１３３】
ステップＳ９０２：通信制御部は状態記憶部のＦＡＸ着信状態データを０に設定する。そして、処理を終了する。
【０１３４】
次に、図９の電話着信状態クリアフローにしたがって説明する。
【０１３５】
ステップＳ９１１：通信制御部は状態記憶部の電話着信状態データが１かを判定する。１ならばステップＳ９１２に進み、１でないならば処理を終了する。
【０１３６】
ステップＳ９１２：通信制御部は状態記憶部の電話着信状態データを０に設定する。そして、処理を終了する。
【０１３７】
次に、図９のメール着信状態クリアフローにしたがって説明する。
【０１３８】
ステップＳ９２１：通信制御部は状態記憶部のメール着信状態データが１かを判定する。１ならばステップＳ９２２に進み、１でないならば処理を終了する。
【０１３９】
ステップＳ９２２：通信制御部は状態記憶部のメール着信状態データを０に設定する。そして、処理を終了する。
【０１４０】
次に、図９の留守状態クリアフローにしたがって説明する。
【０１４１】
ステップＳ９３１：通信制御部は状態記憶部の留守状態データが１かを判定する。１ならばステップＳ９３２に進み、１でないならば処理を終了する。
【０１４２】
ステップＳ９３２：通信制御部は状態記憶部の留守状態データを０に設定する。そして、処理を終了する。
【０１４３】
次に、図１０の留守状態セットフローにしたがって説明する。
【０１４４】
ステップＳ１００１：通信制御部は状態記憶部の留守状態データを１に設定する。そして、処理を終了する。
【０１４５】
次に、図１０のサブアドレス変更フローにしたがって説明する。
【０１４６】
ステップＳ１０１１：通信制御部はサブアドレス記憶部にサブアドレスに引き続き入力された番号を確認用、クリア用、セット用のサブアドレスとして格納する。そして、処理を終了する。
【０１４７】
次に、図１１のメール着信状態セットフローにしたがって説明する。なお、この処理は通信制御部で所定の時間毎に起動されるものとしている。
【０１４８】
ステップＳ１１０１：所定のプロバイダに接続し、メールの着信があるかを確認する。
【０１４９】
ステップＳ１１０２：ステップＳ１１０１の処理で、メール着信があるならば、ステップＳ１１０３に進み、メール着信がないならば処理を終了する。
【０１５０】
ステップＳ１１０３：状態記憶部のメール着信状態データを１に設定する。そして、処理を終了する。
【０１５１】
図１３に、条件設定部の一実施例の設定画面を示す。この例は、ＩＳＤＮ通信端末装置にパソコンおよび端末装置などを接続して、条件設定を行うものである。設定画面は、ＦＡＸ着信設定条件番号と電話着信設定条件番号の両方を設定することができ、電話着信設定番号にはすでに２つの番号が設定されているものである。
【０１５２】
図１４に、サブアドレス設定部の一実施例の設定画面を示す。この例も、ＩＳＤＮ通信端末装置にパソコンおよび端末装置などを接続して、条件設定を行うものである。設定画面は、留守状態、メール着信状態、ＦＡＸ着信状態、電話着信状態の４つの状態における確認用、クリア用、セット用のサブアドレスを設定することができるものである。
【０１５３】
【発明の効果】
この発明は、上記に説明したような形態で実施され、以下の効果がある。
【０１５４】
サブアドレス付き発呼ができるアナログ機器により遠く離れたＩＳＤＮ通信端末装置が持つ、特定の状態（留守状態、メール着信状態、ＦＡＸ着信状態、電話着信状態など）を無課金で確認することが可能となる。
【０１５５】
また、サブアドレス付き発呼ができるアナログ機器により、遠く離れたＩＳＤＮ通信端末装置が持つ特定ＦＡＸ番号のＦＡＸ着信状態および特定電話番号の電話着信状態を無課金で確認することが可能となる。
【０１５６】
また、サブアドレス付き発呼ができるアナログ機器により、遠く離れたＩＳＤＮ通信端末装置が持つ特定の状態のデータをクリアすることが可能となる。
【０１５７】
また、サブアドレス付き発呼ができるアナログ機器により、遠く離れたＩＳＤＮ通信端末装置が持つ特定の状態を確認するためのサブアドレスを設定することが可能となる。
【０１５８】
また、留守状態の確認を行うためのサブアドレス付き発呼を着信したとき、留守状態が設定されていれば、アナログ機器にリング音を出さず、ブザーを鳴らすことにより、ＩＳＤＮ通信端末装置に留守設定した後、その解除を忘れてしまった場合や、誤って留守設定してしまった場合、設定者に留守設定の誤りを通知することができ、留守設定を解除することができる。また、設定者がブサーにより電話機を取ることで通話することも可能となる。
【０１５９】
また、留守状態の確認を行うためのサブアドレス付き発呼を着信したとき、留守状態が設定されてないときは、アナログ機器が電話の場合にリング音が出て、呼出し先は電話をとることができ、呼出し元は再ダイヤルせずとも、呼出し先の相手と通信することが可能となる。また、留守状態が設定されているときは、リング音を出さないので、アナログ機器が留守番電話の場合でも課金されないようにすることが可能となる。
【０１６０】
また、不当なサブアドレスによる発呼であることをビジー音で確認することができ、目的とする特定状態の確認を誤りなく行うことが可能となる。
【図面の簡単な説明】
【図１】  本発明のＩＳＤＮ通信端末装置の基本構成ブロック図である。
【図２】  本発明のＩＳＤＮ通信端末装置の一実施例の構成ブロック図である。
【図３】  状態記憶部とサブアドレス記憶部の一実施例の構成図である。
【図４】  本発明のＩＳＤＮ通信端末装置の一実施例の動作フローチャート（１）である。
【図５】  アダログ機器の呼設定データの構成図である。
【図６】  本発明のＩＳＤＮ通信端末装置の一実施例の動作フローチャート（２）である。
【図７】  本発明のＩＳＤＮ通信端末装置の一実施例の動作フローチャート（３）である。
【図８】  状態確認の一実施例の処理フローチャートである。
【図９】  状態クリアの一実施例の処理フローチャートである。
【図１０】  留守状態セットとサブアドレス変更の処理フローチャートである。
【図１１】  メール着信状態セットの一実施例の処理フローチャートである。
【図１２】  条件記憶部の一実施例の構成図である。
【図１３】  条件設定部の一実施例の設定画面である。
【図１４】  サブアドレス設定部の一実施例の設定画面である。
【符号の説明】
１    ＩＳＤＮ通信端末装置
２    ＩＳＤＮ網
３    公衆網
４    アナログ機器
５    電話機
６    ＦＡＸ
１１    発着信処理部
１２    通信制御部
１３    状態記憶部
１４    状態設定部
１５    サブアドレス記憶部
１６    サブアドレス設定部
【図１】
0003725759.tif 000002
【図２】
0003725759.tif 000003
【図３】
0003725759.tif 000004
【図４】
0003725759.tif 000005
【図５】
0003725759.tif 000006
【図６】
0003725759.tif 000007
【図７】
0003725759.tif 000008
【図８】
0003725759.tif 000009
【図９】
0003725759.tif 000010
【図１０】
0003725759.tif 000011
【図１１】
0003725759.tif 000012
【図１２】
0003725759.tif 000013
【図１３】
0003725759.tif 000014
【図１４】
0003725759.tif 000015